(57)【要約】【課題】  出力される文章が途中で切れたり、途中で切り替わってしまうことにより、違和感を与える不都合を解消することができるショーケースを提供する。【解決手段】  音声スピーカ２５（音声出力手段）と、扉６の開閉を検出する扉開閉検出装置１７（扉開閉検出手段）と、この扉開閉検出装置１７が検出する扉６の開閉に基づき、音声スピーカ２５により所定文言の音声を出力する制御装置１０（制御手段）とを備え、この制御装置１０は、音声スピーカ２５により音声を出力している間に扉６の開閉が行われた場合、現在音声出力している文言が終了するまで当該音声出力を継続する。【選択図】図３
2006275327.tif 000002
【特許請求の範囲】
【請求項１】
開閉自在の扉を備えたショーケースにおいて、
音声出力手段と、前記扉の開閉を検出する扉開閉検出手段と、該扉開閉検出手段が検出する前記扉の開閉に基づき、前記音声出力手段により所定文言の音声を出力する制御手段とを備え、
該制御手段は、前記音声出力手段により音声を出力している間に前記扉の開閉が行われた場合、現在音声出力している文言が終了するまで当該音声出力を継続することを特徴とするショーケース。
【請求項２】
前記制御手段は、所定の短時間内に前記扉の開閉が行われた場合、前記音声出力手段による音声の出力を禁止し、又は、前記音声出力手段により扉開用の文言若しくは扉閉用の文言の何れか一方のみを音声出力することを特徴とする請求項１のショーケース。
【請求項３】
前記制御手段は、前記扉が閉じている状態から開放され、所定の短時間内に再び閉じられた場合、前記音声出力手段により、前記扉開用の文言を音声出力し、前記扉閉用の文言の音声出力を禁止することを特徴とする請求項２のショーケース。
【請求項４】
前記制御手段は、前記扉が開いている状態から閉じられ、所定の短時間内に再び開放された場合、前記音声出力手段により、前記扉閉用の文言を音声出力し、前記扉開用の文言の音声出力を禁止することを特徴とする請求項２又は請求項３のショーケース。
【請求項５】
前記制御手段は、前記扉が閉じている状態から開放され、所定時間経過した後閉じられた場合、前記音声出力手段により、前記扉開用の文言と扉閉用の文言を音声出力することを特徴とする請求項２、請求項３又は請求項４のショーケース。
【請求項６】
前記制御手段は、前記扉が開いている状態から閉じられ、所定時間経過した後開放された場合、前記音声出力手段により、前記扉閉用の文言と扉開用の文言を音声出力することを特徴とする請求項２、請求項３、請求項４又は請求項５のショーケース。
【請求項７】
前記制御手段は、前記扉が開いている状態が所定の上限時間以上継続した場合、前記音声出力手段により警報用の文言を音声出力することを特徴とする請求項１、請求項２、請求項３、請求項４、請求項５又は請求項６の扉装置。
【請求項８】
前記制御手段は、前記扉の開閉に基づく前記音声出力手段による音声出力の方式を選択可能とされていることを特徴とする請求項１、請求項２、請求項３、請求項４、請求項５、請求項６又は請求項７のショーケース。
【発明の詳細な説明】
【技術分野】
【０００１】
本発明は、開閉自在の扉を備えたショーケースに関するものである。
【背景技術】
【０００２】
従来よりスーパーマーケットやコンビニエンスストア等の店舗に設置されるショーケースは、断熱壁から構成された本体内に貯蔵室を構成すると共に、この貯蔵室内に商品を陳列して冷蔵、若しくは、冷凍すると共に、貯蔵室の前面開口は開閉自在の透明ガラス製扉により閉塞していた（例えば、特許文献１参照）。
【０００３】
近年、このようなショーケースの付加価値として、扉を開閉したときに音声を出力させたいという市場要求が高まっている。そこで、扉を開閉したときに所定の音声を出力可能なショーケースが開発されて来ている。
【特許文献１】特開平１０−３３２２５５号
【発明の開示】
【発明が解決しようとする課題】
【０００４】
しかしながら、従来の係る音声出力可能なショーケースは、扉を開けて音声が出力されている間に扉が閉められた場合、当該音声が途中で切れてしまい、その後、続けて扉を閉めたときの音声が出力されるため、聞いている客に違和感を与えるという問題が生じていた。
【０００５】
本発明は、係る従来の技術的課題を解決するために成されたものであり、扉開閉に伴って出力されている文言が途中で切れたり、途中で切り替わってしまうことによる音声出力の違和感を解消できるショーケースを提供するものである。
【課題を解決するための手段】
【０００６】
本発明のショーケースは、開閉自在の扉を備えたものであって、音声出力手段と、扉の開閉を検出する扉開閉検出手段と、この扉開閉検出手段が検出する扉の開閉に基づき、音声出力手段により所定文言の音声を出力する制御手段とを備え、この制御手段は、音声出力手段により音声を出力している間に扉の開閉が行われた場合、現在音声出力している文言が終了するまで当該音声出力を継続することを特徴とする。
【０００７】
請求項２の発明のショーケースは、上記発明において制御手段は、所定の短時間内に扉の開閉が行われた場合、音声出力手段による音声の出力を禁止し、又は、音声出力手段により扉開用の文言若しくは扉閉用の文言の何れか一方のみを音声出力することを特徴とする。
【０００８】
請求項３の発明のショーケースは、請求項２において制御手段は、扉が閉じている状態から開放され、所定の短時間内に再び閉じられた場合、音声出力手段により、扉開用の文言を音声出力し、扉閉用の文言の音声出力を禁止することを特徴とする。
【０００９】
請求項４の発明のショーケースは、請求項２又は請求項３の発明において制御手段は、扉が開いている状態から閉じられ、所定の短時間内に再び開放された場合、音声出力手段により、扉閉用の文言を音声出力し、扉開用の文言の音声出力を禁止することを特徴とする。
【００１０】
請求項５の発明のショーケースは、請求項２、請求項３、請求項３又は請求項４の発明において扉が閉じている状態から開放され、所定時間経過した後閉じられた場合、音声出力手段により、扉開用の文言と扉閉用の文言を音声出力することを特徴とする。
【００１１】
請求項６の発明のショーケースは、請求項２、請求項３、請求項３又は請求項４の発明において制御手段は、扉が開いている状態から閉じられ、所定時間経過した後開放された場合、音声出力手段により、扉閉用の文言と扉開用の文言を音声出力することを特徴とする。
【００１２】
請求項７の発明のショーケースは、上記各発明において制御手段は、扉が開いている状態が所定の上限時間以上継続した場合、音声出力手段により警報用の文言を音声出力することを特徴とする。
【００１３】
請求項８の発明のショーケースは、上記各発明において制御手段は、扉の開閉に基づく音声出力手段による音声出力の方式を選択可能とされていることを特徴とするものである。
【発明の効果】
【００１４】
本発明によれば、開閉自在の扉を備えたショーケースにおいて、音声出力手段と、扉の開閉を検出する扉開閉検出手段と、この扉開閉検出手段が検出する扉の開閉に基づき、音声出力手段により所定文言の音声を出力する制御手段とを備え、この制御手段は、音声出力手段により音声を出力している間に扉の開閉が行われた場合、現在音声出力している文言が終了するまで当該音声出力を継続するようにしたので、扉開閉により現在出力されている文言が途中で途切れ、又は、途切れて直ぐに切り替わってしまうことによる違和感を解消することができる。
【００１５】
請求項２の発明によれば、制御手段は、所定の短時間内に扉の開閉が行われた場合、音声出力手段による音声の出力を禁止し、又は、音声出力手段により扉開用の文言若しくは扉閉用の文言の何れか一方のみを音声出力するようにしたので、例えば、音声出力手段による音声の出力を禁止した場合には、誤って扉が開放されたときには音声出力を行わないようにすることができる。
【００１６】
また、扉開用の文言若しくは扉閉用の文言の何れか一方のみを音声出力するようにした場合には、例えば、扉開と扉閉のうちの最後に行われた動作の文言のみを出力させることにより、最初に行われた動作についてはキャンセルすることが可能となり、これによって違和感を解消することができるようになる。
【００１７】
一方、請求項３の発明の如く、扉が閉じている状態から開放され、所定の短時間内に再び閉じられた場合、音声出力手段により、扉開用の文言を音声出力し、扉閉用の文言の音声出力を禁止するようにすれば、扉を開放して直ぐに閉じたときに、閉じた後、扉開用の文言に引き続いて扉閉用の文言が、扉閉動作から時間を置いて音声出力される違和感を解消することができる。
【００１８】
また、請求項４の発明の如く、扉が開いている状態から閉じられ、所定の短時間内に再び開放された場合、音声出力手段により、扉閉用の文言を音声出力し、扉開用の文言の音声出力を禁止するようにすれば、扉を閉じて直ぐにまた開いたときに、開いた後、扉閉用の文言に引き続いて扉開用の文言が、扉開動作から時間を置いて音声出力される違和感を解消することができる。
【００１９】
請求項５の発明によれば、請求項２、請求項３又は請求項４の発明において扉が閉じている状態から開放され、所定時間経過した後、閉じられた場合、音声出力手段により、扉開用の文言と扉閉用の文言を音声出力するので、扉を開放して所定時間経過してから閉じたときは、扉開用の文言と扉閉用の文言が支障無く出力される。
【００２０】
請求項６の発明によれば、請求項２、請求項３、請求項４又は請求項５の発明において制御手段は、扉が開いている状態から閉じられ、所定時間経過した後開放された場合、音声出力手段により、扉閉用の文言と扉開用の文言を音声出力するので、扉を閉じて所定時間経過してから開いたときも、扉閉用の文言と扉開用の文言が支障無く出力される。
【００２１】
請求項７の発明によれば、上記各発明に加えて制御手段は、扉が開いている状態が所定の上限時間以上継続した場合、音声出力手段により警報用の文言を音声出力するので、扉の閉め忘れを警報して、扉を閉めるように促すことができる。これにより、扉の閉め忘れによる電力消費の増大を極力回避することができるようになる。
【００２２】
請求項８の発明によれば、上記各発明において制御手段は、扉の開閉に基づく音声出力手段による音声出力の方式を選択可能とされているので、使用者の必要に応じて音声出力の方式を選択できる。これにより、使用状況等に応じて音声の出力方式を自由に選択することができるので、利便性の向上を図ることができるようになる。
【発明を実施するための最良の形態】
【００２３】
以下、図面に基づき本発明の一実施形態を詳述する。図１は本発明を適用したショーケース１の斜視図、図２はショーケース１の制御ブロック図をそれぞれ示している。図中、１はスーパーマーケットやコンビニエンスストアなどの店舗に設置されるショーケースで、前面が扉６にて開閉自在に閉塞された、所謂クローズドタイプの冷蔵ショーケースである。
【００２４】
ショーケース１は、前面に開口する断熱箱体２の内部に貯蔵室３を構成しており、この貯蔵室３内に冷凍装置２０から冷気を供給し、所定の低温に維持するように構成されている。また、この貯蔵室３内には商品を陳列するための棚４が複数段架設されている。
【００２５】
そして、係る貯蔵室３の前面開口は観音開き式の扉６によって開閉自在に閉塞される。この扉６は周囲のアルミニウム製扉サッシュ７内に透明ガラス８を嵌め込んだものであり、この透明ガラス８を通して貯蔵室３内を透視可能とされている。また、左右の扉６、６の非枢支側、即ち、両扉６、６が突き合わされる側の扉サッシュ７、７には把手１１がネジ止めされている。
【００２６】
また、貯蔵室３の開口縁には、扉６の開閉を検出するための扉開閉検出手段としての扉開閉検出装置１７が取り付けられ、扉６上側の断熱箱体２の前面には音声出力手段としての音声スピーカ２５が設けられている。尚、扉開閉検出装置１７は、扉６の開閉を検出することができるものであれば、機械的スイッチやリードスイッチなど、如何なる方式のものでもよい。
【００２７】
前記ショーケース１にはマイクロコンピュータからなる制御装置１０が設けられている。実施例の制御装置１０は、ショーケース１の制御を司る制御手段であり、入力側には、貯蔵室３内の温度を検出する温度センサ１５と、前記扉開閉検出装置１７、及び、音声選択スイッチ１８が接続されている。音声選択スイッチ１８は、音声スピーカ２５から出力される音声の出力方式を選択するためのスイッチであり、当該音声選択スイッチ１８を操作することで、音声出力の方式（禁止を含む）や出力される文言の変更等を行うことができる。また、出力側には音声スピーカ２５と、冷凍装置２０が接続されている。
【００２８】
そして、制御装置１０は、温度センサ１５にて検出される貯蔵室３内の温度が所定の低温に維持されるように前記冷凍装置２０を制御している。例えば、温度センサ１５にて検出される貯蔵室３内の温度が予め設定された所定温度より高い場合には、制御装置１０は、冷凍装置２０の図示しない圧縮機を運転すると共に、温度センサ１５にて検出される貯蔵室３内の温度が所定温度より低い場合、制御装置１０は前記圧縮機を停止させる。
【００２９】
更に、制御装置１０は、前記扉開閉検出装置１７が検出する扉６の開閉に基づき、音声スピーカ２５により所定文言の音声を出力する。また、制御装置１０は扉開閉検出装置１７が検出する扉６の開閉に基づき、開閉動作が成されてから次に開閉動作が成されるまでの間、若しくは、所定の上限時間ｃとなるまでカウントを実行する。
【００３０】
即ち、制御装置１０は、扉開閉検出装置１７により扉６の開放を検出した場合には、音声スピーカ２５により所定の扉開用の文言、例えば、「いらっしゃいませ。」を音声出力する。また、扉６が閉じられた場合には、音声スピーカ２５により所定の扉閉用の文言、例えば、「ありがとうございました。」を音声出力する。更に、制御装置１０は、扉６が開いている状態が所定の上限時間ｃ以上継続した場合、音声スピーカ２５により警報用の文言、例えば、「扉を閉めてください。」を音声出力する。尚、扉開用、扉閉用及び警報用の文言は、前述の音声選択スイッチ１８により出力を全面的に禁止することが可能であると共に、上記文言以外にも他の文言を出力させることも可能である。これにより、使用者の要望に応じて音声出力の方式を変更することができるので、利便性の向上をはかることができるようになる。
【００３１】
以上の構成で、ショーケース１の扉６の開閉に基づく、音声出力動作について詳述する。先ず、扉６の開動作と閉動作とが所定の短時間ａより長く、所定時間ｂ以内（時間ａは極めて短い時間。時間ｂは時間ａよりも長い所定の短時間。以下、同じ。）の間隔で行われる場合の制御装置１０の動作について図３を用いて説明する。扉６が閉じられている状態から開放されると、扉開閉検出装置１７から制御装置１０に扉開入力信号（扉開入力ＯＮ、扉閉入力ＯＦＦ）が入力される。これにより、制御装置１０は時間のカウントを開始する。そして、制御装置１０は当該時間のカウントを開始して所定の短時間ａより長く、前記扉開入力信号が入力されている場合には、音声スピーカ２５により扉開用の文言、例えば「いらっしゃいませ。」を出力する。ここで、図３に示すように、音声スピーカ２５による音声が出力されている途中に扉６が閉められ、扉開閉検出装置１７から制御装置１０に扉閉入力信号（扉開入力ＯＦＦ、扉閉入力ＯＮ）が入力されると、制御装置１０は現在音声出力されている扉開用の文言が終了するまで音声出力を継続する。また、扉６が開放されてから閉じられるまでの時間が所定時間ｂ以内であった場合、制御装置１０は扉閉用の文言の出力を禁止する。
【００３２】
このように、制御装置１０は、扉６が閉じられている状態から開放され、所定時間ｂ以内に再び閉じられた場合、音声スピーカ２５により、扉開用の文言を音声出力し、扉閉用の文言の音声出力を禁止するので、扉６を開放して直ぐに閉じたときに、扉開用の文言に引き続き、扉閉から時間を置いて扉閉用の文言が音声出力される違和感を解消することができる。
【００３３】
一方、扉６が開放されている状態から閉じられると、扉開閉検出装置１７から制御装置１０に扉閉入力信号（扉開入力ＯＦＦ、扉閉入力ＯＮ）が入力される。これにより、制御装置１０は時間のカウントを開始する。そして、制御装置１０は当該時間のカウントを開始して所定の短時間ａより長く、扉閉入力信号が入力される場合には、音声スピーカ２５により扉閉用の文言、例えば「ありがとうございました」を出力する。そして、音声スピーカ２５による音声が出力されている途中に扉６が開放され、扉開閉検出装置１７から制御装置１０に扉開入力信号（扉開入力ＯＮ、扉閉入力ＯＦＦ）が入力されても、制御装置１０は現在音声出力されている扉閉用の文言が終了するまで音声出力を継続する。また、扉６が閉じられてから開放されるまでの時間が所定時間ｂ以内であった場合、制御装置１０は扉開用の文言の出力を禁止する。
【００３４】
このように、制御装置１０は、扉６が開いている状態から閉じられ、所定時間ｂ以内に再び開放された場合、音声スピーカ２５により、扉閉用の文言を音声出力し、扉開用の文言の音声出力を禁止するので、扉６を閉じて直ぐにまた開いたときに、扉閉用の文言に引き続き、扉開から時間を置いて扉開用の文言が音声出力される違和感を解消することができる。
【００３５】
次に、扉６の開動作と閉動作とが所定時間ｂより長い間隔を存して行われる場合の制御装置１０の動作について説明する。図４に示すように、扉６が閉じられている状態から開放されると、扉開閉検出装置１７から制御装置１０に扉開入力信号（扉開入力ＯＮ、扉閉入力ＯＦＦ）が入力される。これにより、制御装置１０は時間のカウントを開始する。そして、制御装置１０は当該時間のカウントを開始して所定の短時間ａより長く、前記扉開入力信号が出力されている場合には、音声スピーカ２５により扉開用の文言、例えば「いらっしゃいませ」を出力する。ここで、図４に示すように、音声スピーカ２５による音声が出力されている途中に扉６が閉められ、扉開閉検出装置１７から制御装置１０に扉閉入力信号（扉開入力ＯＦＦ、扉閉入力ＯＮ）が入力されても、制御装置１０は現在音声出力されている扉開用の文言が終了するまで音声出力を継続する。また、制御装置１０は、前記カウントが所定時間ｂより長い場合には、扉開用の文言を出力した後に、扉閉用の文言「ありがとうございました。」を出力する。尚、この所定時間ｂは、扉６の開放から前記扉開用の文言「いらっしゃいませ。」が終了するのに十分な時間、及び、扉６を閉じてから前記扉閉用の文言「ありがとうございました。」が終了するのに十分な時間で設定されるものとする（以下、同じ。）。
【００３６】
このように、扉６を開放して所定時間ｂより長い時間が経過してから閉じたときは、制御装置１０により扉開用の文言と扉閉用の文言が支障無く出力される。
【００３７】
一方、扉６が開放されている状態から閉じられると、扉開閉検出装置１７から制御装置１０に扉閉入力信号（扉開入力ＯＦＦ、扉閉入力ＯＮ）が入力される。これにより、制御装置１０は時間のカウントを開始する。そして、制御装置１０は当該時間のカウントを開始して所定の短時間ａより長く、前記扉閉入力信号が入力されている場合には、音声スピーカ２５により扉閉用の文言、例えば「ありがとうございました」を出力する。そして、音声スピーカ２５による音声が出力されている途中に扉６が開放され、扉開閉検出装置１７から制御装置１０に扉開入力信号（扉開入力ＯＮ、扉閉入力ＯＦＦ）が入力されても、制御装置１０は現在音声出力されている扉閉用の文言を終了するまで音声出力を継続する。また、制御装置１０は、前記カウントが所定時間ｂより長く経過している場合には、扉閉用の文言を出力した後に、扉開用の文言「いらっしゃいませ。」を出力する。
【００３８】
このように、扉６を閉じて所定時間ｂより長い時間が経過してから開いたときも、制御装置１０により扉閉用の文言と扉開用の文言が支障無く出力される。
【００３９】
次に、扉６の開動作と閉動作とが所定の短時間ａ内に行われた場合の制御装置１０の動作について説明する。図５に示すように、扉６が閉じられている状態から開放されると、扉開閉検出装置１７から制御装置１０に扉開入力信号（扉開入力ＯＮ、扉閉入力ＯＦＦ）が入力される。これにより、制御装置１０は時間のカウントを開始する。その後、扉６が閉められ、扉開閉検出装置１７から制御装置１０に扉閉入力信号（扉開入力ＯＦＦ、扉閉入力ＯＮ）が入力された時点で、前記カウントが所定の短時間ａ以内である場合には、音声スピーカ２５による音声の出力を禁止する。これにより、音声スピーカ２５から音声出力はなされない。
【００４０】
一方、扉６が開かれている状態から閉じられると、扉開閉検出装置１７から制御装置１０に扉閉入力信号（扉開入力ＯＦＦ、扉閉入力ＯＮ）が入力される。これにより、制御装置１０は時間のカウントを開始する。その後、扉６が開放され、扉開閉検出装置１７から制御装置１０に扉開入力信号（扉開入力ＯＮ、扉閉入力ＯＦＦ）が入力された時点で、前記カウントが所定の短時間ａ以内である場合には、音声スピーカ２５による音声の出力を禁止する。これにより、音声スピーカ２５から音声出力はなされない。
【００４１】
このように、所定の短時間ａ内に扉の開閉が行われた場合、音声スピーカ２５による音声の出力を禁止することで、誤って扉が開放されたとき、若しくは、誤って扉が閉じられたときには音声出力を行わないようにすることができる。
【００４２】
他方、制御装置１０は扉開入力信号が出力されている際に、前記時間のカウントが所定時間の上限時間ｃ（前記時間ｂよりも長い所定の長時間）以上経過すると、音声スピーカ２５により警報用の文言、例えば「扉を閉めて下さい。」を音声出力する。この警告用の文言は扉６が閉められて、扉開閉検出装置１７により扉閉入力信号が出力されるまで繰り返し音声出力される。このように扉６が開いている状態が所定時間の上限時間ｃ以上継続した場合、音声スピーカ２５により警報用の文言を音声出力することで、扉６の閉め忘れを警報して、扉を閉めるように促すことができる。これにより、扉６が開放された状態のまま放置され、貯蔵室３から冷気が漏洩して貯蔵室３内の温度が上昇する不都合を極力回避して、無駄な電力消費を改善することができるようになる。
【００４３】
また、制御装置１０には音声選択スイッチ１８の操作により、上述した全ての音声出力動作を実行するか、或いは、扉開のみ実行するか、又は、扉閉のみ実行するか、若しくは、前述したように音声出力を全て禁止するかを自由に設定することができる。これにより、利便性が向上する。
【００４４】
尚、本実施例では本発明を冷蔵ショーケースに適用して説明したが、本発明はこれに限らず、開閉自在の扉を備えたショーケースであれば良く、冷凍ショーケースの他、冷却を行わない非冷ショーケースや温蔵ショーケースにも本発明を適用することができる。
【図面の簡単な説明】
【００４５】
【図１】本発明のショーケースの斜視図である。
【図２】本発明のショーケースの制御ブロック図である。
【図３】本発明のショーケースの扉の開閉動作が短時間ａより長く、時間ｂ以内で行われた場合のタイムチャートである。
【図４】本発明のショーケースの扉の開閉動作が時間ｂより長い間隔を存して行われた場合のタイムチャートである。
【図５】本発明のショーケースの扉の開閉動作が短時間ａ内に行われた場合のタイムチャートである。
【符号の説明】
【００４６】
１    ショーケース
２    断熱箱体
３    貯蔵室
４    棚
６    扉
７    扉サッシュ
８    透明ガラス
１０  制御装置
１１  把手
１７  扉開閉検出装置
１８  音声選択スイッチ
２０  冷凍装置
２５  音声スピーカ
【図１】
2006275327.tif 000003
【図２】
2006275327.tif 000004
【図３】
2006275327.tif 000005
【図４】
2006275327.tif 000006
【図５】
2006275327.tif 000007